(57)【要約】【課題】意匠性の高い洗面台を提供する。【解決手段】  平板状の天板部材２と、直方体状の収納ユニット３と、を備え、天板部材２及び収納ユニット３は、双方の間にそれらとは意匠性の異なるスペーサ４を介在させる形で上下に隣り合って配置され、それぞれが室内の壁面から水平方向に突出した片持ち状態となるようブラケット５によって壁付けされる。それら天板部材２及び収納ユニット３の外周端部２Ｓ、３Ｓは、互いの対向間に空隙６を有し、スペーサ４はその空隙６の奥側に帯状に視認される。【選択図】図１
2019034073.tif 000002
【特許請求の範囲】
【請求項１】
平面視、正面視、及び左右側面視にて水平方向に長辺を有した長方形状に視認される天板部材と、正面視及び左右側面視にて水平方向に長辺を有した長方形状に視認される直方体状の収納ユニットと、を備え、
前記天板部材及び前記収納ユニットは、双方の間にスペーサを介在させる形で上下に隣り合って配置され、それぞれが室内の壁面から水平方向に突出した片持ち状態となるようブラケットによって壁付けされており、
前記スペーサは、上下に隣り合う前記天板部材と前記収納ユニットとの間の空間を被覆するよう、前記壁面とは逆の正面側とその左右両側とを覆うコの字状被覆部材であり、前記正面側と前記左右両側とで外部に露出するスペーサ意匠面が、それぞれに対する正面視にて水平方向に長辺を有した長方形状に視認され、
前記ブラケットは、前記壁面に対し固定されるとともに、前記天板部材あるいは前記収納ユニットの天面形成部を下支えするよう当該壁面側から突出し、その突出部において前記天面形成部に対し固定されることを特徴とする洗面台。
【請求項２】
前記スペーサ意匠面は、互いに共通の意匠性を有する前記天板部材及び前記収納ユニットの意匠面とは異種の意匠性を有する請求項１に記載の洗面台。
【請求項３】
前記天板部材及び前記収納ユニットは、それぞれの正面及び左右の端面を形成する外周端部が前記スペーサよりも水平方向の外側に所定幅突出し、それら双方の外周端部の間に対向空隙が形成され、
前記スペーサは、それら双方の外周端部の奥側に前記対向空隙を介して視認される請求項１又は請求項２に記載の洗面台。
【請求項４】
前記収納ユニットにおける正面側の前記外周端部は、その正面側端面を意匠面として有する収納前面部であり、
前記収納前面部の上端部は、その上端面が後方の前記壁面側に向かって下方に下る斜面として形成され、その斜面に指を当る形で前方側に引いて前記収納前面部を前方側に動かすことにより前記収納ユニットの収納スペースを外部に開放する開操作が可能な持ち手部をなす請求項３に記載の洗面台。
【請求項５】
前記収納ユニットにおける正面及び左右の前記外周端部は、その上端面が内側に向かって下方に下る斜面として形成されている請求項３又は請求項４に記載の洗面台。
【請求項６】
前記天板部材は、平面視にて長方形状に視認される天面形成部を有し、前記天板部材の外周端部は、前記天面形成部の正面及び左右の端部から下方に延出し、正面及び左右の外表面に対する正面視にてそれぞれが水平方向に長辺を有した長方形状に視認され、
前記天板部材及び前記収納ユニットは、第一天板部材と、その下側で隣り合う第一収納ユニットとからなる天板・収納ペアを有し、
前記スペーサは、前記天板・収納ペアをなす第一天板部材と第一収納ユニットとの間に介在する第一スペーサを有し、
前記第一スペーサは、前記天板・収納ペアをなす第一収納ユニットの前記天面形成部の天面の上に、当該第一収納ユニットの前記外周端部の上端面となる正面及び左右の天面外周領域を外側に残す形で固定されるとともに、同じ天板・収納ペアをなす第一天板部材の前記外周端部の内側に下側から入り込んでその天面形成部の下面に当接して配置されることにより、前記天板・収納ペアをなす第一天板部材と第一収納ユニットとのそれぞれの外周端部の間に前記対向空隙をなす第一対向空隙が形成され、前記第一スペーサは、それら双方の外周端部の奥側に前記第一対向空隙を介して視認される請求項３ないし請求項５のいずれか１項に記載の洗面台。
【請求項７】
前記天板部材及び前記収納ユニットは、第二収納ユニットと、その下側で隣り合う第二天板部材とからなる収納・天板ペアを有し、
前記スペーサは、前記収納・天板ペアをなす第二収納ユニットと第二天板部材との間に介在し、前記第一スペーサよりも上下幅が短い第二スペーサを有し、
前記第二スペーサは、前記収納・天板ペアをなす第二天板部材の前記天面形成部の天面上に、当該第二天板部材の前記外周端部の上端面となる正面及び左右の天面外周領域を外側に残す形で固定されるとともに、同じ収納・天板ペアをなす第二収納ユニットの、底面視にて長方形状に視認される底面形成部の底面の下に、当該第二収納ユニットの前記外周端部の下端面となる正面及び左右の底面外周領域を外側に残す形で当接して配置されることにより、前記収納・天板ペアをなす第二収納ユニットと第二天板部材とのそれぞれの外周端部の間に第二対向空隙が形成され、前記第二スペーサは、それら双方の外周端部の奥側に前記第二対向空隙を介して視認され、
前記第一対向空隙と前記第二対向空隙の少なくとも外側端縁位置における上下対向幅が同一幅である請求項６に記載の洗面台。
【請求項８】
前記収納ユニットは、上側収納ユニットと、その下側で隣り合う下側収納ユニットとからなる収納・収納ペアを有し、
前記収納・収納ペアをなす上側収納ユニットと下側収納ユニットとの間に介在し、前記第一スペーサよりも上下幅が短い第三スペーサを有し、
前記第三スペーサは、前記収納・収納ペアをなす下側収納ユニットの前記天面形成部の天面の上に、当該下側収納ユニットの前記外周端部の上端面となる正面及び左右の天面外周領域を外側に残す形で固定されるとともに、同じ収納・収納ペアをなす上側収納ユニットの、底面視にて長方形状に視認される底面形成部の底面の下に、当該上側収納ユニットの前記外周端部の下端面となる正面及び左右の底面外周領域を外側に残す形で当接して配置されることにより、前記収納・収納ペアをなす上側収納ユニットと下側収納ユニットとのそれぞれの外周端部の間に第三対向空隙が形成され、前記第三スペーサは、それら双方の外周端部の奥側に前記第三対向空隙を介して視認され、
前記第一対向空隙と前記第三対向空隙の少なくとも外側端縁位置における上下対向幅が同一幅である請求項６又は請求項７に記載の洗面台。
【請求項９】
請求項７に記載の要件を備え、
前記第二スペーサは、前記第三スペーサよりも上下幅が短い請求項８に記載の洗面台。
【請求項１０】
前記天板部材と前記収納ユニットは、予め用意されている複数のサイズバリエーションのものの中から選ばれたものである請求項１ないし請求項９のいずれか１項に記載の洗面台。
【請求項１１】
前記天板部材と前記収納ユニットとは、予め用意されている複数のサイズバリエーションのものの中に、正面側と左右両側面と上面とを意匠面として有し、単独で前記片持ち状態となるよう前記ブラケットによって前記壁面に壁付け可能なものが含まれる請求項１０に記載の洗面台。
【発明の詳細な説明】
【技術分野】
【０００１】
本発明は、洗面台に関する。
【背景技術】
【０００２】
洗面台には、天板部材と、その下に引き出し等の収納部を設けるものがある（特許文献１）。近年では、そうした洗面台において高い意匠性を備えることが求められている。
【先行技術文献】
【特許文献】
【０００３】
【特許文献１】特開２００９−１８３６０４号公報
【発明の概要】
【発明が解決しようとする課題】
【０００４】
本発明の課題は、意匠性の高い洗面台を提供することにある。
【課題を解決するための手段及び発明の効果】
【０００５】
上記課題を解決するために、本発明の洗面台は、
平面視、正面視、及び左右側面視にて水平方向に長辺を有した長方形状に視認される天板部材と、正面視及び左右側面視にて水平方向に長辺を有した長方形状に視認される直方体状の収納ユニットと、を備え、
前記天板部材及び前記収納ユニットは、双方の間にスペーサを介在させる形で上下に隣り合って配置され、それぞれが室内の壁面から水平方向に突出した片持ち状態となるようブラケットによって壁付けされており、
前記スペーサは、上下に隣り合う前記天板部材と前記収納ユニットとの間の空間を被覆するよう、前記壁面とは逆の正面側とその左右両側とを覆うコの字状被覆部材であり、前記正面側と前記左右両側とで外部に露出するスペーサ意匠面が、それぞれに対する正面視にて水平方向に長辺を有した長方形状に視認され、
前記ブラケットは、前記壁面に対し固定されるとともに、前記天板部材あるいは前記収納ユニットの天面形成部を下支えするよう当該壁面側から突出し、その突出部において前記天面形成部に対し固定されることを特徴とする。
【０００６】
上記本発明によれば、正面視及び左右側面視において水平方向に長辺を有する長方形状に視認される天板部材と収納ユニットとを有した洗面台が、床面に設置されるのではなく、ブラケットによって壁面から水平に突出した形で設置され、床面から離れた壁付け形態となる。これにより、洗面台全体に水平方向に長い印象を付与できる。従来の床面に設置されるような洗面台の場合は、収納をなす各ユニットが上下に並び、かつ床面とつながって見えることによって、上下縦方向を意識させる意匠にどうしてもなりやすいが、収納ユニットが床面から切り離されて床面とのつながりが遮断されることで、水平横方向を強く印象付けることができる。さらに、収納をなす各ユニットが水平方向に横並びになる形態、あるいは収納ユニットに対し天板部材が水平方向に長く延びる形態をとったならば、水平方向・横方向に長いという印象をより強くすることもできる。これに加えて、上記本発明の洗面台では、天板部材と収納ユニットとの間に同じく水平方向に帯状に延びるスペーサが介在する。このスペーサは、洗面台全体により水平方向の印象を強く与える効果を持つ。床面に非設置の壁付け形態とされることによる水平方向の印象に加えて、実体として水平方向のラインを形成するスペーサは、水平方向の印象を強調するだけでなく、洗面台の全体の中でより注意を引く意匠的特徴部となる。そして、その意匠的特徴部が他の天板部材や収納ユニットに対し異種な意匠性を備え、かつそれら天板部材や収納ユニットに挟まれる形で配置されることは、その意匠をより際立たせる。これにより、従来よりも特徴的な意匠の洗面台を実現できる。
【０００７】
上記本発明における前記スペーサ意匠面は、互いに共通の意匠性を有する前記天板部材及び前記収納ユニットの意匠面とは異種の意匠性を有するようにできる。これにより、洗面台の全体の意匠的特徴部となるスペーサが、同一の意匠面に挟まれる形で視認されるから、その意匠がより一層際立つため、従来よりも特徴的な意匠の洗面台を実現できる。
【０００８】
上記本発明における前記天板部材及び前記収納ユニットは、それぞれの正面及び左右の端面を形成する外周端部がスペーサよりも水平方向の外側に所定幅突出し、それら双方の外周端部の間に対向空隙が形成され、前記スペーサは、それら双方の外周端部の奥側に前記対向空隙を介して視認されるようにできる。この構成によれば、手前に突出して視認される天板部材や収納ユニットの奥に、それら天板部材や収納ユニットとは意匠性の異なるスペーサが水平方向に延びる帯状に視認される。洗面台において、天板部材と収納ユニット、あるいは収納ユニットと収納ユニットとの間に凹部（対向空隙）が形成されると、その凹部は洗面台の形状的な特徴部となり、洗面台全体の中で目を引く個所となる。上記本発明では、その目を引く凹部の奥に周辺とは異種の意匠性を有したスペーサが配置されることで、水平方向に延びるスペーサがより一層強調された意匠となる。従来、こうした凹部には、その凹部幅を極力短くして視認されにくくする、あるいは隣接するユニットと同様の意匠が連続するように見せるといったように、凹部の存在を意識させにくいようにデザインされてきたが、上記本発明では、逆にこれを積極的に意識させることで、従来よりも特徴的な意匠の洗面台を実現できる。
【０００９】
上記本発明において、前記収納ユニットにおける正面及び左右の前記外周端部は、その上端面が内側に向かって下方に下る斜面として形成できる。洗面台の収納ユニットは人間の目線よりも下側に位置するため、凹部（対向空隙）の奥に視認されるスペーサは洗面台に近づくほど視認が難しくなる。しかしながら、上記の構成によれば、洗面台に近づいても凹部の奥にあるスペーサを視認しやすい。このため、水平方向に長いスペーサを確実に視認させることができ、水平方向のラインをより強調した意匠を確保できる。
【００１０】
上記本発明において、前記収納ユニットにおける正面側の前記外周端部は、その正面側端面を意匠面として有する収納前面部であり、前記収納前面部の上端部は、その上端面が後方の前記壁面側に向かって下方に下る斜面として形成され、その斜面に指を当る形で前方側に引いて前記収納前面部を前方側に動かすことにより収納ユニットの収納スペースを外部に開放する開操作が可能な持ち手部とすることができる。収納ユニットには、引き出し収納や開き戸収納等のように可動部を備えたものがあり、これらはいずれも収納前面部を前方側に動かす形でその収納スペースを外部に露出させる。例えば、引き出し収納の場合は、収納前面部をなす引き出し前板を手前に引き出すようにして引き出し本体を手前に引き出すし、開き戸収納の場合は、収納前面部をなす開き戸を手前に引いて回動させることで内部空間を開放する。ところが、従来の場合、こうした収納前面部を手前側（前方側）に動かすために、収納前面部には正面側に突出する持ち手部を設けられ、これを手にすることで引き出しや開き戸を開ける操作を容易にしていた。ところが、収納前面部から正面側に突出する構造体は、洗面台の全体的な意匠の中で特に強調される要素となるから、洗面台の意匠のバランスを乱し、意匠性を損なう要因になりやすい。例えば本発明のように、天板、収納ユニット、スペーサによって水平方向のラインを意識させる洗面台においては、そうした正面側に突出する構造体が存在することは、水平方向のラインの印象を弱める結果につながりかねない。つまり、凹部と突出部との両方が存在する形態では、突出部の方がより強調されるから、本発明のように凹部に配置されるスペーサは、突出する持ち手部が存在した場合、その印象が弱まってしまう。これに対し上記本発明の構成によれば、収納前面部の上端部を奥に向かって下る斜面として形成し、これを持ち手部としている。このため、正面視において持ち手部が視認されない。つまり、収納前面部から正面側に突出する構造体が存在しない形で持ち手部が形成されているから、持ち手部の存在が水平方向のラインへの意識を弱めるようなことは無い。
【００１１】
上記本発明において、前記天板部材は、平面視にて長方形状に視認される天面形成部を有し、前記天板部材の外周端部は、前記天面形成部の正面及び左右の端部から下方に延出し、正面及び左右の外表面に対する正面視にてそれぞれが水平方向に長辺を有した長方形状に視認されるようにできる。この構成によれば、外周端部の存在によって天板部材が厚みのある重厚な印象を付与できる。一方で、天面形成部の直下で、外周端部の内側の空間には、例えば他の軽量の部材等を配置するなどしておけばよく、これにより、天板部材の重量を大きく軽減することができる。これにより、ブラケットによる支持荷重を大きく軽減できる。また、スペーサは、天板部材の外周端部の内側に下方から上方に向けて入り込む嵌合形態をとり、天面形成部を下支えするように配置することができる。この場合のスペーサは、天板部材の外周端部の内側に入り込み、かつその下側で意匠面を露出しなければならないため、上下幅が比較的長く形成されるが、その上下に長いスペーサの内側空間は、ブラケットの配置空間として有効活用できる。
【００１２】
上記本発明において、前記天板部材及び前記収納ユニットは、第一天板部材と、その下側で隣り合う第一収納ユニットとからなる天板・収納ペアを有し、前記スペーサは、前記天板・収納ペアをなす第一天板部材と第一収納ユニットとの間に介在する第一スペーサを有し、前記第一スペーサは、前記天板・収納ペアをなす第一収納ユニットの前記天面形成部の天面の上に、当該第一収納ユニットの前記外周端部の上端面となる正面及び左右の天面外周領域を外側に残す形で固定されるとともに、同じ天板・収納ペアをなす第一天板部材の前記外周端部の内側に下側から入り込んでその天面形成部の下面に当接して配置されることにより、前記天板・収納ペアをなす第一天板部材と第一収納ユニットとのそれぞれの外周端部の間に前記対向空隙をなす第一対向空隙が形成され、前記第一スペーサは、それら双方の外周端部の奥側に前記第一対向空隙を介して視認されるようにできる。
【００１３】
なお、収納ユニットの天面外周領域とは、収納ユニットの上面全領域の外縁から所定幅内側までの帯状の領域であり、例えばその上面全領域に対し収納ユニットの外周端部を上方に投影した時に重なる重なり領域のことである。
【００１４】
上記構成によれば、第一対向空隙を容易に形成することができる。また、本発明においては、第一天板部材と第一収納ユニットとは、それぞれがブラケットによって壁付けされることになるが、上記構成によれば、第一収納ユニットの上にスペーサが固定され、そのスペーサの上に第一天板部材が載る形態をとる。つまり、上側の第一天板部材は、自らを支えるブラケットだけでなく、第一収納ユニットを支えるブラケットによってもその荷重が支持されることになる。このため、上側の第一天板部材を確実に支持することができる。また、下側の第一収納ユニットは、人の目線からは見えにくい下側の位置にブラケットを取り付けることができるため、ブラケットの大きさや配置に意匠的な制約が少ない。これにより、下側の第一収納ユニットに対しては、確実に支持できる形状・大きさのブラケットを、確実に支持できる位置に配置することが可能になり、その結果、上側の第一天板部材と下側の第一収納ユニットとの双方の荷重を確実に支持することが可能になる。また、上側の天板部材は、下側の第一収納ユニットよりも水平方向に長く延び出すような形状をとる場合もあり、その重量が増すことが考えられるが、上述のように下側の第一収納ユニットのブラケットによっても荷重が支持されるため、そうした重量増に対しても容易に対応できる。
【００１５】
また、上記本発明によれば、第一スペーサは、その内側の空間をブラケットの配置スペースとして活用できるから、ブラケットが収納ユニットの収納スペースを大きく遮るようなことがない。
【００１６】
上記本発明において、前記天板部材及び前記収納ユニットは、第二収納ユニットと、その下側で隣り合う第二天板部材とからなる収納・天板ペアを有し、前記スペーサは、前記収納・天板ペアをなす第二収納ユニットと第二天板部材との間に介在し、前記第一スペーサよりも上下幅が短い第二のスペーサを有し、前記第二のスペーサは、前記収納・天板ペアをなす第二天板部材の前記天面形成部の天面上に、当該第二天板部材の前記外周端部の上端面となる正面及び左右の天面外周領域を外側に残す形で固定されるとともに、同じ収納・天板ペアをなす第二収納ユニットの、底面視にて長方形状に視認される底面形成部の底面の下に、当該第二収納ユニットの前記外周端部の下端面となる正面及び左右の底面外周領域を外側に残す形で当接して配置されることにより、前記収納・天板ペアをなす第二収納ユニットと第二天板部材とのそれぞれの外周端部の間に第二対向空隙が形成され、前記第二スペーサは、それら双方の外周端部の奥側に前記第二対向空隙を介して視認されるようにできる。
【００１７】
なお、天板部材の天面外周領域とは、天板部材の上面全領域の外縁から所定幅内側までの帯状の領域であり、例えばその上面全領域に対し天板部材の外周端部を上方に投影した時に重なる重なり領域のことである。また、収納ユニットの底面外周領域とは、ここでは収納ユニットの下面全領域の外縁から所定幅内側までの帯状の領域であり、例えばその下面全領域に対し収納ユニットの外周端部を下方に投影した重なり領域のことである。
【００１８】
上記構成によれば、第二対向空隙を容易に形成することができる。また、本発明においては、第二天板部材と第二収納ユニットとは、それぞれがブラケットによって壁付けされることになるが、上記構成によれば、第二天板部材の上にスペーサが固定され、そのスペーサの上に第二収納ユニットが載る形態をとる。つまり、上側の第二収納ユニットは、自らを支えるブラケットだけでなく、第二天板部材を支えるブラケットによってもその荷重が支持されることになる。このため、上側の第二収納ユニットを確実に支持することができる。また、下側の第二天板部材は、人の目線からは見えにくい下側の位置にブラケットを取り付けることができるため、ブラケットの大きさや配置に意匠的な制約が少ない。これにより、下側の第二天板部材に対しては、確実に支持できる形状・大きさのブラケットを、確実に支持できる位置に配置することが可能になり、その結果、上側の第二収納ユニットと下側の第二天板部材との双方の荷重を確実に支持することが可能になる。また、下側の第二天板部材は、上述の外周端部を有する場合は、ブラケットを隠すのに都合がよい。
【００１９】
上記本発明において、前記収納ユニットは、上側収納ユニットと、その下側で隣り合う下側収納ユニットとからなる収納・収納ペアを有し、前記収納・収納ペアをなす上側収納ユニットと下側収納ユニットとの間に介在する第三スペーサを有し、前記第三スペーサは、前記収納・収納ペアをなす下側収納ユニットの前記天面形成部の天面の上に、当該下側収納ユニットの前記外周端部の上端面となる正面及び左右の天面外周領域を外側に残す形で固定されるとともに、同じ収納・収納ペアをなす上側収納ユニットの、底面視にて長方形状に視認される底面形成部の底面の下に、当該上側収納ユニットの前記外周端部の下端面となる正面及び左右の底面外周領域を外側に残す形で当接して配置されることにより、前記収納・収納ペアをなす上側収納ユニットと下側収納ユニットとのそれぞれの外周端部の間に第三対向空隙が形成され、前記第三スペーサは、それら双方の外周端部の奥側に前記第三対向空隙を介して視認されるようにできる。なお、前記第三スペーサは、天板部材と収納ユニットに挟まれる第一スペーサ及び第二スペーサと同様、上下に隣り合う上側収納ユニットと下側収納ユニットとの間の空間を被覆するよう、前記壁面とは逆の正面側とその左右両側とを覆うコの字状被覆部材であり、前記正面側と前記左右両側とで外部に露出するスペーサ意匠面が、それぞれに対する正面視にて水平方向に長辺を有した長方形状に視認され、かつ互いに共通の意匠性を有する前記天板部材及び前記収納ユニットの意匠面とは異種の意匠性を有するが、前記第一スペーサよりも上下幅が短い。
【００２０】
上記構成によれば、第三対向空隙を容易に形成することができる。また、本発明においては、上側収納ユニットと下側収納ユニットとは、それぞれがブラケットによって壁付けされることになるが、上記構成によれば、下側収納ユニットの上にスペーサが固定され、そのスペーサの上に上側収納ユニットが載る形態をとる。つまり、上側の上側収納ユニットは、自らを支えるブラケットだけでなく、下側収納ユニットを支えるブラケットによってもその荷重が支持されることになる。このため、上側の上側収納ユニットを確実に支持することができる。また、下側の下側収納ユニットは、人の目線からは見えにくい下側の位置にブラケットを取り付けることができるため、ブラケットの大きさや配置に意匠的な制約が少ない。これにより、下側の下側収納ユニットに対しては、確実に支持できる形状・大きさのブラケットを、確実に支持できる位置に配置することが可能になり、その結果、上側の上側収納ユニットと下側の下側収納ユニットとの双方の荷重を確実に支持することが可能になる。
【００２１】
また、第二対向空隙は、第一対向空隙と上下幅が同一幅となるようにすることができる。これにより、第一スペーサと第二スペーサとによって同じ意匠性の水平ラインを視認させることができるから、意匠の統一性を付与できる。同様に、第三対向空隙は、第一対向空隙と上下幅が同一幅となるようにすることができる。これにより、第一スペーサと第三スペーサとによって同じ意匠性の水平ラインを視認させることができるから、意匠の統一性を付与できる。さらに、第一対向空隙と第二対向空隙と第三対向空隙を有する構成の場合、同様の理由でそれらすべての空隙を上下幅が同一幅とすることができる。
【００２２】
上記本発明において、収納ユニットの外周端部は、その上端面が内側に向かって下方に下る斜面として形成できる。このような場合、上記の第二スペーサは、上記の第三スペーサよりも上下幅が短いものとすることができる。また、上記第一のスペーサは、それら第二及び第三のスペーサよりも長いものとすることができる。
【００２３】
なお、上記本発明において、１つの収納ユニットが第一収納ユニットと第二収納ユニットとを兼ねる場合がある。また、第一収納ユニットや第二収納ユニットが、上側収納ユニットや下側収納ユニットを兼ねることもある。同様に、１つの天板部材が第一天板部材と第二天板部材とを兼ねる場合もある。例えば、１つの収納ユニットが２つの天板部材に上下から挟まれる構造の洗面台の場合、その１つの収納ユニットは、第一収納ユニットでもあり、第二収納ユニットでもある。また、１つの天板部材が２つの収納ユニットに上下から挟まれる構造を有した洗面台の場合、その１つの天板部材は、第一天板部材でもあり、第二天板部材でもある。
【００２４】
上記本発明における前記天板部材と前記収納ユニットは、予め用意されている複数のサイズバリエーションのものの中から選ばれたものとすることができる。つまり、上記本発明の洗面台を構成するための洗面台構成部品は、前記天板部材と前記収納ユニットと前記スペーサと前記ブラケットとを有するとともに、それらのうち前記天板部材と前記収納ユニットとは、複数のサイズバリエーションのものが予め用意され、それらの中から選ばれた１以上の前記天板部材と１以上の前記収納ユニットとが組み合わされる形で配置され、それぞれが前記片持ち状態となるよう前記ブラケットによって前記壁面に壁付けされることにより、前記洗面台として組み立てられる。これにより、天板部材と収納ユニットの組み合わせによって様々な配置形態の洗面台を簡易に形成できる。天板部材と収納ユニットの配置形態によって、全体の意匠も独特なものにすることができる。
【００２５】
また、この場合、予め用意される複数のサイズバリエーションの前記天板部材と前記収納ユニットとの中には、正面側と左右両側面と上面とを意匠面として有し、単独で前記片持ち状態となるよう前記ブラケットによって前記壁面に壁付け可能なものを含むようにできる。
【図面の簡単な説明】
【００２６】
【図１】本発明の第一実施例である洗面台の第一の斜視図。
【図２】図１の洗面台の第二の斜視図。
【図３】図１の洗面台の正面図。
【図４】図１の洗面台の側面図。
【図５】図１の洗面台の天板部材を壁面に固定する方法を示した説明図。
【図６】図１の洗面台の収納ユニットにブラケットとスペーサを取り付ける方法を説明する説明図。
【図７】図６の収納ユニットを壁面に固定する方法を示した説明図。
【図８】図１の洗面台の連結収納ユニットの連結方法を説明する説明図。
【図９】図８の連結収納ユニットにスペーサを取り付ける方法を説明する説明図。
【図１０】図９の連結収納ユニットを壁面に固定する方法を示した説明図。
【図１１】図１の洗面台の天板部材上に設置される洗面器、水栓、配管の一例を示した図。
【図１２】図１の洗面台の収納ユニット及び連結収納ユニットの引き出し本体の開状態を示した図。
【図１３】図２のＡ−Ａ部分拡大図。
【図１４】図３のＢ−Ｂ断面図。
【図１５】図１４のＣ部分拡大図。
【図１６】図１５のＤ部分拡大図。
【図１７】図１５のＥ部分拡大図。
【図１８】本発明の第二実施例である洗面台の第一の斜視図。
【図１９】図１８の洗面台の第二の斜視図。
【図２０】図１８の洗面台の下側の天板部材にブラケットを取り付ける方法を説明する説明図。
【図２１】図２０の天板部材にスペーサを取り付ける方法を説明する説明図。
【図２２】図２１の天板部材を収納ユニットの直下に配置した状態を示した背面図。
【図２３】図２２の天板部材を壁面に固定する方法を示した説明図。
【図２４】図２２のＦ−Ｆ断面図。
【図２５】図２４のＧ部分拡大図。
【図２６】図２５のＨ部分拡大図。
【図２７】本発明の他の実施例を正面図にて示した第一図。
【図２８】本発明の他の実施例を正面図にて示した第二図。
【図２９】本発明の他の実施例を正面図にて示した第三図。
【図３０】図１の洗面台の一例を示した外観図。
【発明を実施するための形態】
【００２７】
以下、本発明の実施形態について図面を用いて説明する。
【００２８】
本発明の洗面台は、図１〜図４に示す洗面台１Ａや、図１８及び図１９に示す洗面台１Ｂのように、平面視、正面視及び左右側面視にて水平方向に長辺を有した長方形状に視認される天板部材２と、正面視及び左右側面視にて水平方向に長辺を有した長方形状に視認され、上下の高さ及び左右の幅のいずれか又は双方の異なる複数タイプの収納ユニット３とが洗面台構成部品として予め用意され、それらの中から少なくとも１以上の天板部材２と１以上の収納ユニット３とを選び、選び出されたそれら洗面台構成部品２、３のそれぞれが室内の壁面１０２から水平方向に突出した片持ち状態（図３及び図４参照）となるよう、同じく洗面台構成部品であるブラケット５（図２及び図１９参照）によって壁面１０２に壁付けされ、床面１０１に非接触となる形で設置される。ただし、選び出されたそれら洗面台構成部品２、３のうち、上下に隣り合って配置されるペアについては、それら双方２、３（あるいは３、３）の間に同じく洗面台構成部品であるスペーサ４を介在させる形で配置される。
【００２９】
選び出される洗面台構成部品２、３は、少なくとも天板部材２が１以上と、収納ユニット３を１以上と、を含む。そして、ここでは、選び出された天板部材２と収納ユニット３の意匠が全て互いに共通の意匠性を有するものとされている。これらの条件が満たされるのであれば、天板部材２を複数、あるいは収納ユニット３を複数、あるいは天板部材２と収納ユニット３との双方を複数選んで構成されてもよい。また、天板部材２と収納ユニット３は、同じタイプのものを複数選んでもよい。
【００３０】
なお、天板部材２の主となる意匠面は、天面（上面）と正面と左右側面であり、収納ユニット３の意匠面は、正面と左右側面である。ただし、収納ユニット３については、上方に隣接する洗面台構成部品２、３が存在しない場合には、天面（上面）も主となる意匠面に加えられる。また、収納ユニット３については、後述する外周端部３Ｓの上面３Ｓｔも意匠面として形成される。
【００３１】
天板部材２は、左右の幅及び意匠面の意匠の少なくともいずれかが異なるタイプが予め複数用意され、これらの中から選ばれる。ここでの天板部材２には、左右の幅の異なるタイプが予め複数用意され、これらのタイプ全てに対し複数タイプ（ここでは白無地タイプと木調タイプとの２タイプ）の意匠バリエーションが用意されている。
【００３２】
天板部材２は、その上に洗面器７（ここでは洗面ボウル）を設置したり、水栓８を設置したりすることができる。洗面器７及び水栓８から続く配管９（図１１参照）は、それらが設置される天板部材２及びその直下の収納ユニット３を通過する形で配置される。
【００３３】
天板部材２は、図１及び図１８に示すように、平面視にて長方形状に視認される天面２ｔを形成する天面形成部２Ｔ（図５及び図２０参照）を有する。また、天板部材２の外周端部２Ｓは、天面形成部２Ｔの正面及び左右の端部から下方に延出し、正面及び左右の外表面２ｓ（図１及び図１８参照）に対する正面視にてそれぞれが水平方向に長辺を有した長方形状に視認される。具体的にいえば、天板部材２は、図１６に示すように、金属製（ここではステンレス製）の薄い板材を屈曲・溶接した形で形成され、意匠面にはその上に化粧板が固定される。天板部材２は、天面２ｔを形成する板材上部２Ｙと、板材上部２Ｙの正面側と左右両側とで下方に屈曲して延び出す板材側面部２Ｚと、板材側面部２Ｚの下側で内向きに折り返す板材底部２Ｗと、板材底部２Ｗの内側で上向きに折り返す板材端部２Ｖと、を有し、天板部材２の四隅において板材側面部２Ｚと板材底部２Ｗと板材端部２Ｖとを溶接により連結した形状をなす。また、板材上部２Ｙの天面２ｔの裏面には直方体をなす厚板状かつ樹脂製の軽量部材２Ｘが接着固定されている。
【００３４】
なお、意匠面は、例えば下地材（上記の場合は金属製の板材）の表面に化粧板を固定する形で形成することができ、化粧板には、例えばメラミン、ガラス、セラミック等の板材を用いることができる。また、他にもモザイクタイル等を用いてもよい。化粧板による意匠面の形成手法については、天板部材２に限らず、収納ユニット３やスペーサ４においても同様である。また、意匠面の形成は、化粧板による手法に限るものでもなく、例えば下地材の表面に塗料を塗るようなものでもよいし、素材の表面をそのまま見せる手法をとってもよい。
【００３５】
また、天板部材２は、金属製の板材を曲げて形成するのではなく、木材等の板材で形成されてもよい。この場合、天板部材２に金属製の板材を用いる上記実施例と同形状に形成される。ただし、その際に天板部材２の内部に形成される空洞部は全て充填された状態となる。
【００３６】
ここでの天面形成部２Ｔは、図１６に示すように、板材上部２Ｙとその直下の部材２Ｘとからなり、外周端部２Ｓは、板材側面部２Ｚと、板材底部２Ｗと、板材端部２Ｖと、板材上部外周２ＳＴと、からなる。なお、板材上部外周２ＳＴは、板材上部２Ｙに対し板材底部２Ｗを上方向に投影した際に重なる、板材上部２Ｙの正面側と左右側の外周部である。板材上部外周２ＳＴの上面２Ｓｔは、外周端部２Ｓの上端面である。また、板材底部２Ｗの下面は外周端部２Ｓの下端面ということができる。
【００３７】
収納ユニット３は、上下の高さ、左右の幅、露出面の意匠のいずれか又は複数が異なるタイプが予め複数用意され、これらの中から選ばれる。ここでの収納ユニット３には、上下の高さの低い浅型収納ユニット３Ｘ（図１参照）と、上下の高さの高い深型収納ユニット３Ｙ（図１８参照）と、上下の高さの低い浅型収納ユニットで左右に連結して使用する左用浅型収納ユニット３ＸＬ及び右用浅型収納ユニット３ＸＲからなる連結収納ユニット３Ｌ（図２７（ｄ）参照）、上下の高さの高い深型収納ユニットで左右に連結して使用する左用深型収納ユニット３ＹＬ及び右用深型収納ユニット３ＹＲ（図１参照）からなる連結収納ユニット３ＬＬと、が用意されるとともに、これらのタイプに対し左右の幅が異なる複数タイプのバリエーションが用意され、さらにそれら全てに対し複数タイプ（ここでは白無地タイプと木調タイプとの２タイプ）の意匠バリエーションが用意されている。なお、収納ユニット３の意匠には、白無地タイプや木調タイプの意匠の他に、モザイクタイルを用いたもの等、他の意匠を用いてもよい。
【００３８】
天板部材２及び収納ユニット３の各タイプは全て、前後方向の奥行き幅が同一幅に定められており、壁面１０２に壁付けされた場合、双方の壁面１０２からの突出長さは同じとなる（図１４及び図２４参照）。
【００３９】
収納ユニット３における正面及び左右の外周端部３Ｓは、図１６及び図１７に示すように、それぞれの上端部３ＳＴが当該収納ユニット３における天面３ｔに対して上方に突出しており、それぞれの上端面３Ｓｔが内側に向かって下方に下る斜面（天面３ｔに向かって下る斜面）として形成されている。ただし、外周端部３Ｓの下端部３ＳＢについては、収納ユニット３における底面３ｂに対して下方にわずかに（ここでは１ｍｍ）突出する程度であり、上端部３ＳＴの上方への突出長さほど、下方に突出していない。なお、連結収納ユニット３Ｌ、３ＬＬにおいては、連結した状態における正面及び左右の外周端部３Ｓの上端部３ＳＴが上方に突出し、それらの上端面３Ｓｔが上記の斜面として形成される。
【００４０】
収納ユニット３では、図１２に示すように、正面側の外周端部３Ｓを、正面側端面３ｓに意匠面を有する収納前面部３Ｆとして有し、その収納前面部３Ｆを前方側に動かすことにより収納ユニット３の収納スペースを外部に開放できる。これにより、収納ユニット３に形成された収納スペース内に物を配置できる。そして、収納前面部３Ｆを後方に戻すことにより、その収納スペースは収納ユニット３の内部に収まる。このとき、収納前面部３Ｆを前後に移動させるための持ち手部として、収納前面部３Ｆの上端部３ＳＴ（図１６及び図１７参照）が利用される。即ち、収納前面部３Ｆの上端部３ＳＴは、上述したように、その上端面３Ｓｔが後方の壁面１０２側に向かって下方に下る斜面として形成されるから、その斜面に指を当る形で前方側に引いて収納前面部３Ｆを容易に前方側に動かすことができる。なお、後方側に動かす場合は、収納前面部３Ｆの正面側端面３ｓを後方側に押せばよい。
【００４１】
ここでの収納ユニット３は、引き出し収納ユニットであり、図１４に示すように、引き出し本体３０と、引き出し本体３０を収容する引き出し収容部３１と、を有して構成される。収納前面部３Ｆ（３Ｓ）は引き出し本体３０の前板であり、左右の外周端部３Ｓは引き出し収容部３１の側面板である。左右の側面板をなす外周端部３Ｓ、３Ｓの内側には、引き出し本体３０を前後方向にスライド可能にするガイドレール３２（図６〜図１０参照）が取り付けられている。そして、天面形成部３Ｔは、引き出し収容部３１の天板であり、底面形成部３Ｂは、引き出し収容部３１の底板である。
【００４２】
なお、収納ユニット３は、引き出し収納ユニットに限らず、例えば収納前面部３Ｆ（３Ｓ）を開き戸として有するものであってもよい。
【００４３】
収納ユニット３には、洗面器７及び水栓８から続く配管９を通過させるために、天面形成部３Ｔに、あるいは天面形成部３Ｔ及び底面形成部３Ｂに、上下（板厚方向）に貫通する貫通部３Ｖを有する配管通過型のものもある。貫通部３Ｖは、天面形成部３Ｔ、あるいは天面形成部３Ｔ及び底面形成部３Ｂの背面側を開放する形で切り欠かれた切り欠き凹部として形成される。ここでは、図１４に示すように、収納ユニット３において引き出し収容部３１を構成する天面形成部３Ｔと、引き出し本体３０の後方側中央とに切り欠き凹部３Ｖが形成されている。一方、天板部材２にも、配管９を通過させる貫通孔２Ｈが形成されている。
【００４４】
なお、配管９には、図１１（ａ）の破線で示すボトルトラップ９Ｂや、図１１（ｂ）の破線で示すＰトラップ９Ｐ、図１１（ｃ）の破線で示すＳトラップ９Ｓ等を採用することができる。洗面台１に用いられる収納ユニット３には、採用された配管９の形態に応じて、切り欠き凹部３Ｖを有する配管通過型の収納ユニット３が選択され、配管通過型でない収納ユニット３もその配管９の形態に応じて選択される。
【００４５】
スペーサ４は、上下に隣り合って配置される洗面台構成部品２、３の間の空間を被覆するよう、壁面１０２とは逆の正面側とその左右両側とを覆うコの字状被覆部材（図６、図９、図２１参照）である。スペーサ４は、自身を上下で挟んで配置される洗面台構成部品２、３の間に配置されて、正面側及び左右両側にて水平方向に延びる帯状に視認される。具体的にいえば、正面側及び左右両側（壁面１０２側である背面側を除く）で外部に露出するスペーサ意匠面４ｓ（図１及び図１８参照）が、それぞれに対する正面視にて水平方向に長辺を有した長方形状に視認される。
【００４６】
スペーサ４は、挟まれる上下の洗面台構成部品２、３のペアに対応するものが予め用意されている。ここでの洗面台構成部品２、３による第一のペアは、天板部材２（第一天板部材）と、その下側で隣り合う収納ユニット３（第一収納ユニット）とからなる天板・収納ペア。第二のペアは、収納ユニット３（第二収納ユニット）と、その下側で隣り合う天板部材２（第二天板部材）とからなる収納・天板ペア。第三のペアは、上側収納ユニット３と、その下側で隣り合う下側収納ユニット３とからなる収納・収納ペア。これに対しスペーサ４は、洗面台構成部品２、３のペアに応じて選ばれる。ここでは、上記天板・収納ペアをなす天板部材２（第一天板部材）と収納ユニット３（第一収納ユニット）との間に介在させる第一スペーサ４１（図１及び図１８参照）と、上記収納・天板ペアをなす収納ユニット３（第二収納ユニット）と天板部材２（第二天板部材）との間に介在させる第二スペーサ４２（図１８参照）と、上記収納・収納ペアをなす収納ユニット３（上側収納ユニット）と収納ユニット３（下側収納ユニット）との間に介在させる第三スペーサ４３（図１参照）と、を有する。
【００４７】
スペーサ４は、ここでは互いに共通の意匠性を有する天板部材２及び収納ユニット３の意匠面とは異種の意匠性を有するものが予め用意されている。さらにいえば、スペーサ４は、天板部材２及び収納ユニット３の左右の幅が異なるバリエーションに対応するように左右の幅の異なる複数のバリエーションのものが予め用意されている。ここでのスペーサ４の意匠バリエーションは１つだけ（金属調のみ）であるが、複数バリエーション用意してもよい。
【００４８】
なお、スペーサ４の各タイプは全て、前後方向の奥行き幅が、天板部材２及び収納ユニット３のよりも短くなるよう同一幅に定められており、壁面１０２に複数のスペーサ４が壁付けされた場合は、図１４及び図２４に示すように、それらの壁面１０２からの突出長さは同じとなる。このため、天板部材２及び収納ユニット３は、それぞれの正面及び左右の端面２ｓ、３ｓを形成する外周端部２Ｓ、３Ｓが双方ともスペーサ４よりも水平方向の外側に所定幅（同一幅）だけ突出した状態となる。そして、上下に隣接する天板部材２及び収納ユニット３の外周端部２Ｓ、３Ｓの間、あるいは上下に隣接する収納ユニット３、３の外周端部３Ｓ、３Ｓの間には、対向空隙６が形成されている。スペーサ意匠面４ｓは、その対向空隙６の奥側に視認される。
【００４９】
スペーサ４は、人の目線の下側に位置するため、斜め下方に見下ろす形で視認される（図１５及び図２５の破線矢印が目線の一例を示している）。これに対し、スペーサ４の手前に位置する収納ユニット３の外周端部３Ｓの上端面３Ｓｔは内側に下る斜面として形成されているため、上から斜め下方に見下ろす人の目線に対し外周端部３Ｓがスペーサ４を隠すようなことが無く、視認されやすい。一方で、スペーサ４は、上下で挟む洗面台構成部品２、３のペアに応じて上下の高さが異なる複数のバリエーションが予め用意されている。ここでは、天板・収納ペアに対し第一スペーサ４１が用意され（図１及び図１８参照）、収納・天板ペアに対し第二スペーサ４２が用意される（図１８参照）。収納・収納ペアに対し第三スペーサ４３（図１参照）が用意されている。そして、これらのペアが形成する外周端部２Ｓ、３Ｓ（あるいは３Ｓ、３Ｓ）は、正面（前方）側と左右側面側における上下対向幅ｄ１、ｄ２、ｄ３（図１６、図１７、図２６参照）が同じ幅（ここでは約３０ｍｍ）となるように配置される。これにより、各スペーサ４（４１、４２、４３）が上下同一幅に視認され、統一感のある意匠性を実現している。
【００５０】
なお、ここでのスペーサ４は、第一スペーサ４１の上下幅が最も長く、第二スペーサ４２の上下幅が最も短い。具体的にいえば、第一スペーサ４１は、例えば図１６に示すように、上側に配置される天板部材２の外周端部２Ｓの内側に入り込むため、上方向に一定長さが必要となる。さらに、下側に配置される収納ユニット３（３Ｘ）の外周端部３Ｓが天面形成部３Ｔに対し上方に突出しているため、空隙６（６１）に一定の上下対向幅（ここでは３０ｍｍ）を設けるためには、下方向にも一定長さが必要となる。その結果、第一スペーサ４１は、他のスペーサ４２、４３よりも長い。なお、上下に長い第一スペーサ４１の内側空間は、ブラケット５の配置空間として有効活用される。一方、第三スペーサ４３は、例えば図１７に示すように、第一スペーサ４１と同様の理由で下方向に一定長さを必要とするが、上方向への長さは、収納ユニット３（３ＹＲ）の底面形成部３Ｂの底面３ｂがほぼフラットであるため、ほとんど必要ない。具体的にいえば、収納ユニット３（３ＹＲ）の外周端部３Ｓは、底面形成部３Ｂに対しわずかに（ここでは１ｍｍ）下方に突出しているため、第三スペーサ４３も外周端部３Ｓの内側に入り込む形にはなるが、その突出量が少ない分、上方向の長さは極わずか（ここでは１ｍｍ）しか必要ない。また、第二スペーサ４２は、例えば図２６に示すように、第三スペーサ４３と同様の理由で上方向への長さがほとんど必要ない。さらに、第二スペーサ４２は、下側に配置される天板部材２の天面２ｔが外周側も中央も同一の平坦面をなすから、下方向の長さも必要ない。このため、第二スペーサ４２は、上下幅が最も短い。
【００５１】
ここでのスペーサ４は、図１６に示すように、薄い板材を屈曲・溶接した形で形成されている。スペーサ４は、正面側及び左右両側（壁面１０２側である背面側を除く）で長方形状の側面をなすスペーサ意匠面４ｓを形成するスペーサ側面部４Ｓと、スペーサ側面部４Ｓの上端から内側に屈曲する形で突出するスペーサ上部４Ｔと、スペーサ側面部４Ｓの下端から内側に屈曲する形で突出するスペーサ下部４Ｂと、左右両側のスペーサ側面部４Ｓの後端（背面側）から内側に屈曲する形で突出するスペーサ背面部４Ｅ（図６参照）と、を有し、スペーサ４の四隅の上下においてスペーサ上部４Ｔ同士、スペーサ下部４Ｂ同士を溶接により連結した形状をなす。スペーサ下部４Ｂは、締結部材１０によって天板部材２あるいは収納ユニット３に締結固定されるため、内外方向の幅がスペーサ上部４Ｔよりも長い。
【００５２】
ブラケット５は、図５に示すように、天板部材２と収納ユニット３とのいずれかを壁面１０２に固定する取付部品であり、その基端部５Ａにおいて壁面１０２に対し固定される。また、ブラケット５は、天板部材２あるいは収納ユニット３の天面形成部２Ｔ、３Ｔを下支えするよう当該壁面１０２側から突出する。その突出部５Ｂにおいて天面形成部２Ｔ、３Ｔに対し固定される。具体的にいえば、ブラケット５は、壁面１０２に対し面接触する形で固定される基端部５Ａと、天板部材２あるいは収納ユニット３の天面形成部２Ｔ、３Ｔを下支えするよう当該壁面１０２側の基端部５Ａの上端から正面側に突出し、天面形成部２Ｔ、３Ｔに対し面接触する形で固定される突出部５Ｂと、を有する。さらにブラケット５は、板状の基端部５Ａ及び突出部５Ｂの双方の幅方向中央位置から立ち上がるようにして基端部５Ａ側から突出部５Ｂの先端側へと板状に延び出し、Ｌ字状に連結する板状の基端部５Ａ及び突出部５Ｂの剛性を高める補強部５Ｃを有する。
【００５３】
ここでのブラケット５は、浅型収納ユニット３Ｘ、３ＸＬ、３ＸＲを壁面１０２に固定する上下幅の短い第一ブラケット５１（小ブラケット）と、深型収納ユニット３Ｙ、３ＹＲ、３ＹＬを壁面１０２に固定する上下幅の長い第二ブラケット５２（大ブラケット）と、が予め準備されている。天板部材２の壁面１０２への固定に対しても、これら２種のブラケット５１、５２が用いられるが、天板部材２に対しては、その下側に収納ユニット３が（スペーサ４を介して）隣接して存在する場合に第一ブラケット５１を、その下側に収納ユニット３が存在しない場合に第二ブラケット５２を用いるよう定められている。
【００５４】
＜実施例１＞
以下、本発明の第一実施例である洗面台１Ａについて、壁面１０２への組み付け手順に沿って説明する。
【００５５】
まずは、天板部材２にブラケット５を取り付け、そのブラケット５で天板部材２を壁面１０２に固定する。
【００５６】
図５（ａ）に示すように、天板部材２の天面形成部２Ｔに対し、その背面位置にブラケット５の板状の基端部５Ａの背面位置を一致させる（実際にはわずかに正面側にずらす）。そして、天面形成部２Ｔ（具体的には部材２Ｘ）の裏面（下面）にブラケット５の板状の突出部５Ｂを面接触させる形で配置し、締結部材１０（ここではトラスタッピングネジ）によってブラケット５を天面形成部２Ｔ（部材２Ｘ）に締結固定する。なお、ここでは、ブラケット５は、天板部材２（天面形成部２Ｔ）の直下に浅型の収納ユニット３（ここでは３Ｘのみ）が配置される領域に第一ブラケット５１が固定され、天板部材２（天面形成部２Ｔ）の直下に収納ユニット３が非配置となる領域に第二ブラケット５２が固定される。
【００５７】
続いて図５（ｂ）に示すように、天板部材２とブラケット５を、天面２ｔの床面１０１からの高さが所定高さ（例えば７００ｍｍ）となるように、それぞれの天面形成部２Ｔとブラケット５の基端部５Ａの双方の背面を壁面１０２に面接触させる形で配置し、締結部材１０（ここでは六角コーチスクリューを用い、その頭部には後にボルトキャップを取り付ける）によってブラケット５を壁面１０２に締結固定する。これにより、天板部材２は、図５（ｃ）に示すように、床面１０１から所定高さの位置となるよう壁面１０２に対し固定される。具体的にいえば、天板部材２は、ブラケット５の上に載って下支えされる形で壁面１０２に対し固定され、その先端（前端）側が自由端をなすよう壁面１０２から突出した状態に設置される。
【００５８】
次に、収納ユニット３にスペーサ４とブラケット５を取り付け、そのブラケット５で収納ユニット３を天板部材２の直下の位置で壁面１０２に固定する。なお、ここでは固定前に、引き出し本体３０を取り外しておく。
【００５９】
ここでの収納ユニット３には浅型収納ユニット３Ｘが用いる。図６（ａ）に示すように、収納ユニット３（３Ｘ）の天面形成部３Ｔに対し、天板部材２と同様、その背面位置にブラケット５の板状の基端部５Ａの背面位置を一致させる（実際にはわずかに正面側にずらす）。そして、天面形成部３Ｔの裏面（下面）にブラケット５の板状の突出部５Ｂを面接触させる形で配置し、締結部材１０（ここではトラスタッピングネジ）によってブラケット５を天面形成部３Ｔに締結固定する。ここで用いるブラケット５は、収納ユニット３が上下の高さの低い浅型収納ユニット３Ｘ、３ＸＬ、３ＸＲの場合には第一ブラケット５１を用い、上下の高さの高い深型収納ユニット３Ｙ、３ＹＬ、３ＹＲの場合には第二ブラケット５２を用いる。
【００６０】
続いて図６（ｂ）に示すように、収納ユニット３（３Ｘ）の天面形成部３Ｔの天面３ｔの上に、スペーサ４（ここでは第一スペーサ４１）が、天面外周領域（図６（ｃ）の符号３Ｓｔ参照）を外側に残す形でその内側に載置される。なお、収納ユニット３の天面外周領域とは、ここでは収納ユニット３の上面全領域（３ｔ、３Ｓｔ）に対し収納ユニット３の外周端部３Ｓを上方に投影した時に重なる重なり領域（３Ｓｔ）のことであり、上面全領域（３ｔ、３Ｓｔ）の外縁から所定幅内側までの帯状の領域である。具体的にいえば、ここでの天面外周領域は、収納ユニット３（３Ｘ）における正面及び左右の外周端部３Ｓ（図中における正面側の外周端部３Ｓは引き出し本体３０が外されているため、図示が無い）の上端面３Ｓｔ（ここでは内側に下る斜面）によってコの字状に形成される領域である。スペーサ４（４１）は、収納ユニット３（３Ｘ）の天面３ｔ上において天面外周領域３Ｓｔよりも内側にスペーサ下部４Ｂを面接触させる形で配置される。具体的にいえば、スペーサ４（４１）は、スペーサ下部４Ｂの外縁を天面外周領域３Ｓｔの内縁に近接させる形で（実際には内縁から１ｍｍ〜２ｍｍほど内側にずらして）配置される。そして、スペーサ４（４１）は、締結部材１０（ここではバインドタッピングネジ）によって、収納ユニット３（３Ｘ）の天面形成部３Ｔの天面３ｔ上に固定される。
【００６１】
続いて図７（ａ）に示すように、収納ユニット３（３Ｘ）に固定されたスペーサ４（４１）を、天板部材２の外周端部２Ｓの内側に下側から入り込んでその天面形成部２Ｔの下面２ｂに当接させる形で配置する。即ち、スペーサ４（４１）のスペーサ上部４Ｔの上に天板部材２が載置される。より具体的にいえば、スペーサ４（４１）のスペーサ上部４Ｔ上には、弾性を有した弾性接着シート４０（図６（ｂ）及び図６（ｃ）参照）が複数個所に接着固定されており、天板部材２は、これら弾性接着シート４０上に載置され、接着固定される。なお、ここでは、天板部材２の左側の外周端部２Ｓ（２Ｖ）に当接させる形で配置される。そして、この載置状態・接着固定状態において、締結部材１０（ここでは六角コーチスクリューを用い、後にその頭部にはボルトキャップを取り付ける）によってブラケット５を壁面１０２に締結固定する。これにより、収納ユニット３（３Ｘ）は、図７（ｂ）に示すように、ブラケット５の上に載って下支えされる形で壁面１０２に対し固定され、その先端（前端）側が自由端をなすよう壁面１０２から突出した状態に設置される。さらにいえば、天板部材２はこの収納ユニット３（３Ｘ）の上に載って下支えされた状態になる。
【００６２】
これにより、図７（ｂ）、さらには図１５及び図１６に示すように、天板部材２と収納ユニット３（３Ｘ）とのそれぞれの外周端部２Ｓ、３Ｓの間に対向空隙６をなす空隙６１（第一対向空隙）が形成され、スペーサ４（４１）は、それら双方の外周端部２Ｓ、３Ｓの奥側に空隙６（６１）を介して視認されるようになる。
【００６３】
なお、このときの天板部材２は、ブラケット５（５１）によって下支えされているが、当該ブラケット５（５１）は、コの字状のスペーサ４（４１）の内側空間内に位置している。
【００６４】
次に、上記とは異なる収納ユニット３にスペーサ４とブラケット５を取り付け、そのブラケット５でその収納ユニット３を、既に固定された収納ユニット３（３Ｘ）の直下の位置で壁面１０２に固定する。
【００６５】
ただし、ここで用いる収納ユニット３は、図８に示すように、上下の高さの高い左用深型収納ユニット３ＹＬ及び右用深型収納ユニット３ＹＲを左右に連結した連結収納ユニット３ＬＬである。なお、左用深型収納ユニット３ＹＬの天面形成部３Ｔと正面及び左側の外周端部３Ｓ（収納前面部及び左側面部）には、連結収納ユニット３ＬＬの意匠面を形成するための化粧板がそれらの表面３ｔ、３ｓ、３Ｓｔ上に取り付けられているが、右側の外周端部３ＳＲ（右側面部）の表面には化粧板が用いられていない。同様に、右用深型収納ユニット３ＹＲの天面形成部３Ｔと正面及び右側の外周端部３Ｓ（収納前面部及び右側面部）とには、連結収納ユニット３ＬＬの意匠面を形成するための化粧板がそれらの表面３ｔ、３ｓ、３Ｓｔ上に取り付けられているが、左側の外周端部３ＳＬ（左側面部）には化粧板が用いられていない。そして、左用深型収納ユニット３ＹＬの右側面部３ＳＲと右用深型収納ユニット３ＹＲの左側面部３ＳＬとの非意匠面同士を面接触させて、締結部材１０（ここではナゲシネジを用い、その頭部には後にヘッドキャップカバー１０ｋを取り付ける）によって締結固定して、連結収納ユニット３ＬＬ（ここでは深型の連結収納ユニット）を形成している。
【００６６】
なお、この連結方法は、左用浅型収納ユニット３ＸＬと右用浅型収納ユニット３ＸＲとの連結においても同様である。
【００６７】
そして図８（ｂ）に示すように、連結収納ユニット３ＬＬの天面形成部３Ｔ、３Ｔ（収納ユニット３ＹＬ、３ＹＲのそれぞれの天面形成部）に対し、天板部材２等と同様、その背面位置にブラケット５の板状の基端部５Ａの背面位置を一致させる（実際にはわずかに正面側にずらす）。そして、天面形成部３Ｔ、３Ｔの裏面にブラケット５の板状の突出部５Ｂを面接触させる形で配置し、締結部材１０（ここではトラスタッピングネジ）によってブラケット５を天面形成部３Ｔ、３Ｔに締結固定する。ここでの連結収納ユニット３ＬＬは、深型の収納ユニット３ＹＬ、３ＹＲを左右に連結したものであるから、第二ブラケット５２が用いられる。なお、この連結収納ユニット３ＬＬが、通常の深型収納ユニット３Ｙの場合も第二ブラケット５２が用いられる。この連結収納ユニット３ＬＬが浅型収納ユニット３Ｘ、３ＸＬ、３ＸＲであった場合には第一ブラケット５１が用いられる。
【００６８】
続いて図９（ａ）に示すように、連結収納ユニット３ＬＬの天面形成部３Ｔ、３Ｔの天面３ｔ、３ｔ（収納ユニット３ＹＬの天面と収納ユニット３ＹＲの天面）の上に、スペーサ４（第三スペーサ４３）が、当該連結収納ユニット３ＬＬの天面外周領域（図９（ｂ）の符号３Ｓｔ参照）を外側に残す形でその内側にスペーサ下部４Ｂを面接触させる形で載置される。そして、スペーサ４（４３）は、締結部材１０（ここではバインドタッピングネジ）によって、収納ユニット３ＹＲの天面形成部３Ｔの天面３ｔ上に固定される。
【００６９】
なお、ここでの連結収納ユニット３ＬＬの天面外周領域とは、左用深型収納ユニット３ＹＬの左側の外周端部３Ｓと、右用深型収納ユニット３ＹＲの右側の外周端部３Ｓと、左用深型収納ユニット３ＹＬ及び右用深型収納ユニット３ＹＲの正面側の外周端部３Ｓ、３Ｓの上端面３Ｓｔによって形成されるコの字状の領域である。これは連結収納ユニット３Ｌでも同様である。
【００７０】
ここでのスペーサ４（４３）は、その連結収納ユニット３ＬＬにおける上記の天面外周領域を除くだけでなく、左用深型収納ユニット３ＹＬの天面３ｔも除いて配置されている。つまり、左用深型収納ユニット３ＹＬの上には、スペーサ４が配置されない。具体的にいえば、ここでのスペーサ４（ここでは第三スペーサ４３）は、右用深型収納ユニット３ＹＲの天面３ｔ上においてその右側の外周端部３Ｓの上端面３Ｓｔに寄せる形で配置されている。
【００７１】
さらにいえば、連結収納ユニット３ＬＬにおいて、意匠面ではなく連結面をなす左用深型収納ユニット３ＹＬの右側面部３ＳＲ（右側の側面板）と右用深型収納ユニット３ＹＲの左側面部３ＳＬ（左側の側面板）は、図１３に示すように、上端がそれぞれの天面形成部３Ｔに下側から突き当たる形で設けられている。その結果、連結収納ユニット３ＬＬは、左用深型収納ユニット３ＹＬ及び右用深型収納ユニット３ＹＲの双方の天面形成部３Ｔ、３Ｔが左右に突き当てられた形で配置され、双方の天面３ｔ、３ｔが同一平坦面を形成している。このため、スペーサ４（４３）は、左用深型収納ユニット３ＹＬ上に、あるいは右用深型収納ユニット３ＹＲ上に配置することが可能であるだけでなく、連結された左用深型収納ユニット３ＹＬ及び右用深型収納ユニット３ＹＲにまたがる形で配置することも可能である。これは連結収納ユニット３Ｌであっても同様である。
【００７２】
続いて図１０（ｂ）に示すように、スペーサ４（４３）は、既に壁面１０２に固定されている収納ユニット３（３Ｘ）の、底面視にて長方形状に視認される底面３ｂを形成する底面形成部３Ｂのその底面３ｂの下に、底面外周領域を外側に残す形で当接・面接触して配置される。なお、収納ユニット３の底面外周領域とは、ここでは収納ユニット３の下面全領域（３ｂ、３Ｓｂ）に対し収納ユニットの外周端部３Ｓを下方に投影した重なり領域（３Ｓｂ）のことであり、下面全領域（３ｂ、３Ｓｂ）の外縁から所定幅内側までの帯状の領域である。具体的にいえば、ここでの底面外周領域は、収納ユニット３（３Ｘ）において正面及び左右の外周端部３Ｓの下端面３Ｓｂ（図７（ａ）参照：引き出し本体３０（収納前板部３Ｆ）が無いため正面側の下端面３Ｓｂは図示されていない）となる領域である。そして、スペーサ４（４３）のスペーサ上部４Ｔ上には、弾性を有した弾性接着シート４０が複数個所に接着固定されており、収納ユニット３（３Ｘ）は、これら弾性接着シート４０上に載置され、接着固定される。この載置状態・接着固定状態において、締結部材１０（ここでは六角コーチスクリューを用い、その頭部にはボルトキャップを取り付ける）によってブラケット５を壁面１０２に締結固定する。これにより、連結収納ユニット３ＬＬは、図１０（ｂ）に示すように、ブラケット５の上に載って下支えされる形で壁面１０２に対し固定され、その先端（前端）側が自由端をなすよう壁面１０２から突出した状態に設置される。さらにいえば、天板部材２及び収納ユニット３（３Ｘ）は、この連結収納ユニット３ＬＬの上に載って下支えされた状態になる。
【００７３】
これにより、上側の収納ユニット３（３Ｘ）と、下側の連結収納ユニット３ＬＬの右用深型収納ユニット３ＹＲとのそれぞれの外周端部３Ｓ、３Ｓの間に対向空隙６３が形成され、スペーサ４（４３）は、それら双方の外周端部３Ｓ、３Ｓの奥側に空隙６（６３）を介して視認されるようになる。
【００７４】
最後に、天板部材２上に設けられた上下に貫通する貫通孔２Ｈ（図５参照）に配管９を挿通させ、天板部材２上に洗面器７（ここでは洗面ボウル）及び水栓８を設置して、これらを接続する。また、天板部材２と壁面１０２との接続部分にはシーリング材（図示無し）を塗布・固化する。
【００７５】
このようにして形成された洗面台１Ａでは、図１６及び図１７に示すように、空隙６１（第一対向空隙）と空隙６３（第三対向空隙）との少なくとも外側端縁位置における上下対向幅ｄ１、ｄ３が同一幅（ここでは３０ｍｍ）とされる。これにより、スペーサ４１、４３は、上下に同一幅を有した帯状のラインとして視認される。さらに、２つの収納ユニット３ＹＬ、３ＹＲが横並びする連結収納ユニット３ＬＬが左右横方向への印象を与え、さらに、連結収納ユニット３Ｌとは逆側に延びる天板部材２も左右横方向への印象を与えている。一方で、上下方向に並ぶ天板部材２及び収納ユニット３Ｘ、３ＹＬが床面１０１に対し非設置とされて床面１０１から切り離されていることで、上下縦方向への印象が弱められている。その上で、他とは異なる金属調のスペーサ４（４１）、４（４３）が、空隙６（６１）、６（６３）の奥で横方向に延びる形状で強調的に配置されている。このように、本実施例の洗面台１Ａでは、水平横方向により強い印象を与える特徴的な意匠を実現している（図３０参照）。
【００７６】
なお、第一実施例における天板部材２は、本発明の第一天板部材であり、収納ユニット３（３Ｘ）は本発明の第一収納ユニットであり、これらが本発明の天板・収納ペアを形成している。他方、収納ユニット３（３Ｘ）は、本発明の上側収納ユニットでもあり、連結収納ユニット３ＬＬは本発明の下側収納ユニットであり、これらが本発明の収納・収納ペアを形成している。
【００７７】
以上、本発明の第一実施例を説明したが、これはあくまでも例示にすぎず、本発明はこれに限定されるものではない。例えば上記実施例において一部の構成要件を省略する、さらには他の構成要件を追加する等、当業者の知識に基づく種々の変更が可能である。
【００７８】
以下、上記実施例とは異なる別の実施例や変形例について説明する。なお、上記実施例と共通の機能を有する部位には同一符号を付して詳細な説明を省略する。また、上記実施例と下記例とは、技術的な矛盾を生じない範囲において適宜組み合わせて実施できる。
【００７９】
＜実施例２＞
第二実施例の洗面台１Ｂは、図１８及び図１９に示すように、収納ユニット３の直上及び直下に、スペーサ４（第一スペーサ４１、第二スペーサ４２）を介在させる形で天板部材２（上側天板部材２１と下側天板部材２２）が配置される洗面台である。
【００８０】
なお、ここでの天板部材２（２１）は、本発明の第一天板部材であり、その直下の収納ユニット３（３Ｙ）は本発明の第一収納ユニットであり、これらが本発明の天板・収納ペアを形成している。他方、収納ユニット３（３Ｙ）は、本発明の第二収納ユニットでもあり、天板部材２（２２）は、本発明の第二天板部材であり、これらが本発明の収納・天板ペアを形成している。
【００８１】
以下、本発明の第二実施例である洗面台１Ｂについて、壁面１０２への組み付け手順に沿って説明する。
【００８２】
まずは天板部材２（２１）にブラケット５を取り付け、そのブラケット５で天板部材２（２１）を壁面１０２に固定する。この点は第一実施例と同様であるため、説明を省略する。なお、ここで用いるブラケット５は、直下にスペーサ４が配置される領域では第一ブラケット５１であり、その他では全て第二ブラケット５２である。
【００８３】
次に収納ユニット３にスペーサ４（４１）とブラケット５を取り付け、そのブラケット５で収納ユニット３を、天板部材２の直下の位置で壁面１０２（図示なし）に固定する。この点も第一実施例と同様であるため、説明を省略する。なお、収納ユニット３が深型収納ユニット３Ｙである点において、第一実施例と異なる。
【００８４】
次に、上記とは異なる天板部材２（２２）にスペーサ４（４２）とブラケット５を取り付け、そのブラケット５によってその天板部材２（２２）を、既に固定された収納ユニット３（３Ｙ）の直下の位置となるよう壁面１０２に固定する。
【００８５】
これにより、図２５に示すように、天板部材２（２１）と収納ユニット３（３Ｙ）とのそれぞれの外周端部２Ｓ、３Ｓの間に対向空隙６をなす空隙６１（第一対向空隙）が形成され、スペーサ４（４１）は、それら双方の外周端部２Ｓ、３Ｓの奥側に空隙６（６１）を介して視認されるようになる。
【００８６】
なお、ここで用いる天板部材２（２２）は、既に固定された天板部材２（２１）と同様の天板部材である。天板部材２には、左右幅の異なるバリエーションも用意されているが、ここでは左右幅の一致したものが選ばれている。また、天板部材２（２２）で用いるブラケット５は、全て第二ブラケット５２であり、この点は第一実施例と異なる。
【００８７】
このもう１つの天板部材２（２２）に対し、まずは図２０に示すように、ブラケット５を固定する。この点は、既に固定された天板部材２（２１）と同様であるから、説明を省略する。
【００８８】
続いてこのもう１つの天板部材２（２２）に対し、スペーサ４（ここでは第二スペーサ４２）を固定する。図２１に示すように、スペーサ４（４２）は、天板部材２（２２）の天面形成部２Ｔの天面２ｔ上に、天面外周領域（図２１の符号２Ｓｔ参照）を外側に残す形で配置される。そして、スペーサ４（４２）は、締結部材１０（ここではバインドタッピングネジ）によって、天板部材２（２２）の天面形成部２Ｔの天面２ｔ上に固定される。なお、天板部材２の天面外周領域とは、ここでは天板部材２の上面全領域（２ｔ、２Ｓｔ）に対し天板部材２の外周端部２Ｓを上方に投影した時に重なる重なり領域（２Ｓｔ）のことであり、上面全領域（２ｔ、２Ｓｔ）の外縁から所定幅内側までの帯状の領域である。具体的にいえば、ここでの天面外周領域は、天板部材２（２２）における正面及び左右の外周端部２Ｓの上端面２Ｓｔとなる正面及び左右の領域である。さらにいえば、ここでの天面外周領域は、天板部材２（２２）の天面２ｔに対し外周端部２Ｓをなす板材底部２Ｗ（図１６参照）を上方に投影させた際に重なる領域であり、図２１にて符号２Ｓｔが示す領域である。なお、ここでのスペーサ４（４２）は、右側の外周端部２Ｓの上端面２Ｓｔに寄せて配置され、上記天面外周領域を残すだけでなく、左側に広大な天面領域を残す形で、天面２ｔ上に固定される。
【００８９】
天板部材２（２２）に固定されたスペーサ４（４２）は、図２２に示すように、収納ユニット３（３Ｙ）の、底面視にて長方形状に視認される底面３ｂ（底面形成部３Ｂの底面）の下に、底面外周領域を外側に残す形で当接・面接触して配置される。なお、底面外周領域とは、収納ユニット３（３Ｙ）における正面及び左右の外周端部３Ｓの下端面３Ｓｂによって形成されるコの字状の領域である。なお、図２２においては、引き出し本体３０が取り外されているため、左右の外周端部３Ｓの下端面３Ｓｂの図示されている。スペーサ４（４２）のスペーサ上部４Ｔ上には、弾性を有した弾性接着シート４０（図２１参照）が複数個所に接着固定されており、収納ユニット３（３Ｙ）は、これら弾性接着シート４０上に載置され、接着固定される。
【００９０】
そして、この載置状態・接着固定状態において、図２３に示すように、締結部材１０（ここでは六角コーチスクリューを用い、その頭部には後にボルトキャップを取り付ける）によって、天板部材２（２２）に固定されたブラケット５を壁面１０２に締結固定する。これにより、天板部材２（２２）は、ブラケット５の上に載って下支えされる形で壁面１０２に対し固定され、その先端（前端）側が自由端をなすよう壁面１０２から突出した状態に設置される。さらにいえば、天板部材２（２１）及び収納ユニット３（３Ｙ）は、この天板部材２（２２）の上に載って下支えされた状態になる。
【００９１】
これにより、図２５及び図２６に示すように、収納ユニット３（３Ｙ）と天板部材２（２２）の外周端部３Ｓ、２Ｓの間に対向空隙６２が形成され、スペーサ４（４２）は、それら双方の外周端部３Ｓ、２Ｓの奥側に空隙６（６２）を介して視認されるようになる。
【００９２】
最後に、洗面器７（ここでは洗面ボウル）及び水栓８（図１８及び図１９参照）、さらには配管９（図示なし）を配置して、その後にシーリングして仕上げる点は第一実施例と同様である。
【００９３】
このようにして形成された洗面台１Ｂでは、空隙６１（第一対向空隙）と空隙６２（第二対向空隙）との少なくとも外側端縁位置における上下対向幅ｄ１、ｄ２が同一幅である。これにより、スペーサ４１、４２は、上下に同一幅を有した帯状のラインとして視認される。
【００９４】
＜他の実施例＞
図２７〜図２９には、上述の第一実施例と第二実施例とは異なる実施例が簡易に示されている。これらの実施例の洗面台１も、第一実施例と第二実施例と同様、予め複数のバリエーションが用意された天板部材２、収納ユニット３（３Ｘ、３Ｙ、３Ｌ（３ＸＬ、３ＸＲ）、３ＬＬ（３ＹＬ、３ＹＲ））、スペーサ４（４１、４２、４３）、ブラケット５（５１、５２）から洗面台構成部品が選び出され、既に述べた条件に従い組み上げられている。
【００９５】
上記実施例において、天板部材２と収納ユニット３を、互いに異なる意匠のもので選んで組み立てられてもよい。さらにいえば、天板部材２と収納ユニット３とスペーサ４とを、互いに異なる意匠のもので選んで組み立てられてもよい。
【００９６】
上記実施例における天板部材２と収納ユニット３は、既に述べているように、予め用意されている複数のサイズバリエーションのものの中から選ばれたものとすることができる。つまり、上記実施例明の洗面台１Ａ、１Ｂ、１を構成するための洗面台構成部品には、天板部材２と収納ユニット３とスペーサ４とブラケット５とが含まれるとともに、それらのうち天板部材２と収納ユニット３とには少なくとも複数のサイズバリエーションのものが予め用意され、それらの中から選ばれた１以上の天板部材２と１以上の収納ユニット３とが組み合わされる形で配置される。そして、それぞれが片持ち状態となるようブラケット５によって壁面１０２に壁付けされ、洗面台（例えば符号１Ａ、１Ｂ、１）として組み立てられる。これにより、天板部材２と収納ユニット３の組み合わせによって様々な配置形態の洗面台を簡易に形成できる。また、天板部材２と収納ユニット３の配置形態次第では、図２７〜図２９に示すような様々な形態の洗面台１を形成することもでき、全体形状を独特なものにすることができる。
【００９７】
また、この場合、予め用意される複数のサイズバリエーションの天板部材２と収納ユニット３との中には、正面側と左右両側面と上面とを意匠面として有し、単独で片持ち状態となるようブラケット５によって壁面１０２に壁付け可能なものを含む。これにより、天板部材２や収納ユニット３は、単独で使用することも可能になり、用途が増える。また、図２７（ａ）のように、天板部材２及び収納ユニット３を有して形成された洗面台１に対し、天板部材２や収納ユニット３（ここでは天板部材２のみ）を単独で隣接配置してもよい。
【符号の説明】
【００９８】
１Ａ、１Ｂ、１  洗面台  
２  天板部材
３  収納ユニット
４  スペーサ
５  ブラケット
６  空隙
７  洗面器
８  水栓
９  配管
１０  締結部材
【図１】
2019034073.tif 000003
【図２】
2019034073.tif 000004
【図３】
2019034073.tif 000005
【図４】
2019034073.tif 000006
【図５】
2019034073.tif 000007
【図６】
2019034073.tif 000008
【図７】
2019034073.tif 000009
【図８】
2019034073.tif 000010
【図９】
2019034073.tif 000011
【図１０】
2019034073.tif 000012
【図１１】
2019034073.tif 000013
【図１２】
2019034073.tif 000014
【図１３】
2019034073.tif 000015
【図１４】
2019034073.tif 000016
【図１５】
2019034073.tif 000017
【図１６】
2019034073.tif 000018
【図１７】
2019034073.tif 000019
【図１８】
2019034073.tif 000020
【図１９】
2019034073.tif 000021
【図２０】
2019034073.tif 000022
【図２１】
2019034073.tif 000023
【図２２】
2019034073.tif 000024
【図２３】
2019034073.tif 000025
【図２４】
2019034073.tif 000026
【図２５】
2019034073.tif 000027
【図２６】
2019034073.tif 000028
【図２７】
2019034073.tif 000029
【図２８】
2019034073.tif 000030
【図２９】
2019034073.tif 000031
【図３０】
2019034073.tif 000032